(57)【要約】【課題】    従来洗っても落ちない眉墨をつくるマシンの針は垂直往復運動しているが、マシンを手で持って施術する際、皮膚に刺さる深さが不安定になってしまう不都合を解決するものである。【解決手段】    針を皮膚に対して斜めに配置し、往復運動により皮膚に針が接近し皮膚を僅かに圧迫する、そして跳ね上げる様に回転運動をしながら往復運動により皮膚より離れ跳ね上がった針が元の皮膚に対して斜めの角度に戻る、この動作を繰り返すことにより安定した針の深さを保つものである。【選択図】図３
2008194412.tif 000002
【特許請求の範囲】
【請求項１】
モーターの回転出力軸よりウォームギヤを取り付け、このウォームギヤにモーターの中心軸と同一線上の平歯車を噛合し、モーターの中心線に直角に動力を変換し平歯車の軸の両端に中心を僅かにずらした受け穴を持つ薄い同型の円柱板を結合し、同型円柱板には同位置にタイミングポイントが設けてあり軸に結合する際に両円柱板のタイミングポイントを僅かにずらし結合し、両円柱板にベアリングを結合し両ベアリングに受け穴を持つ両ベアリング受けを結合し、両受け穴に二本の中心線をモーターの中心線と平行している両往復棒の軸を回転自在に支持し回転運動を往復運動に変換し、往復運動を僅かだけ回転運動に変換する二つの受け穴を持ちその一つが横に長い形状をした針部受け部の両受け穴に両往復棒の両軸を回転自在に支持することにより、斜めに配置した針をそのままの角度を保ち往復運動により皮膚に接近し針が皮膚を僅かに圧迫し跳ね上げるような回転運動をしながら、跳ね上がった針の角度を保ち往復運動の最上点で元の皮膚に対して斜めの角度にし、この動きを連続するパーマネントメイクマシン。
【請求項２】
前記針は、細径に加工した含浸性に優れたスポンジに、針を挿入し、接着剤で固定して成る請求項１記載のパーマネントメイクマシン。
【請求項３】
前記針は、複数の針を直線又は曲線に一列に並べ、斜めに配置したとき皮膚面に対して針先が平行になる構造の請求項１記載のパーマネントメイクマシン。
【発明の詳細な説明】
【技術分野】
【０００１】  本発明は、現在広く行われている、洗っても落ちない眉墨のように皮膚のごく浅いところに針により色素を入れるパーマネントメイクマシンに関するものであり、針の動きに工夫を加えることによって、針が必要以上に皮膚に深く入らない様にしたものである、そして効率の良い施術をするための専用針に関する。
【背景技術】
【０００２】  従来から、パーマネントメイクマシンとして、針の動きが垂直往復運動をしているマシンを使用していた。（例えば、参考文献１参照。）。【０００３】  また針においては含浸性に優れた糸やスポンジを使用する事により、針先に色素を安定供給し、針先を色素液に幾度も浸漬する事無く施術出来るようにしていた。（例えば、参考文献２参照、参考文献３参照。）。【０００４】
【参考文献１】
実開平１−１３１４２８号公報
【参考文献２】
実開昭６４−４０４１６号公報
【参考文献３】
特開平７−２３８４１１号公報
【発明の開示】
【発明が解決しようとする課題】
【０００５】  しかし、参考文献１に示された電動入れ墨機のような針の垂直往復運動では、マシンを手で持って作業するため針が皮膚に刺さる深さが不安定になってしまう、針が皮膚に深く入ってしまうと強い痛み腫れ、又時間がたち色素が抜けてもその傷のために出来た青黒い色は、一生落ちることはない、眉の部分に使用するには熟練を要するという不都合があった。【０００６】  針に関しては、参考文献２の図２に記載されている化粧紋用具があり、針に糸を巻いた用具であるが、実際に０，２ｍｍ程度の太さの針に糸を巻こうとすると針がしなってしまい巻く事は出来ない、針の太さと施術の際の痛み、腫れ等には、密接な関係が有り、太い針を使用すれば必要以上に皮膚に傷を付けてしまう、傷が治る際に出来る瘡蓋も大きくなり皮膚に入った色素も一緒に剥がれ落ちてしまうこともある、又痛みのため局部麻酔をすることもある。【０００７】  参考文献３の請求項６にある、針をスポンジ等の吸収素材で包み込み、というものがあるが、実際には、針に吸収素材を包み込む程度では針の表面は鏡面の様に凹凸が無く摩擦が極めて少ないため施術の際、眉毛や体毛に吸収素材が押し返され針先との間が開いてしまい色素を針先に供給することは出来ない。【０００８】  本発明は、このような従来の針が垂直往復運動するマシン、並びに針に吸収素材を包み込ませたものが有していた問題を解決しようとするものであり、針が皮膚の浅い所に色素を効率よく入れることの出来るパーマネントメイクマシンを実現することを目的とするものである。
【課題を解決するための手段】
【０００９】  本発明に係るパーマネントメイクマシンは、針を皮膚に対して斜めに配置し、そのまま往復運動により皮膚に接近し皮膚を僅かに圧迫するが、この時点では決して針は皮膚には入らない、又この時点で圧迫が若干強くなっても使用している細い針がしなる為皮膚に対してその圧迫の度合いはさほど変わらない、そしてその状態のまま針を跳ね上げる様な回転運動をし、この時針先は、皮膚のごく浅いところに引掻痕を作りながら往復運動により皮膚に対する圧迫を緩め、はなれていく、この一連の動きを小型モーターにより連続して行うことにより、針が皮膚に入る深さが浅く、安定した動きを得ることを特徴とするものである。【００１０】  また針に関しては太さを０，２ｍｍ前後の針を、細径に加工した含浸性に優れたスポンジに挿入し、接着剤で固定することによりスポンジが体毛に押し返される事無く、色素液に浸漬したスポンジより色素が針先に安定供給される。【００１１】  またスポンジを使用せずに０，２ｍｍ前後の複数の針を一列に並べ、表面張力により色素を保持する事により色素が針先に安定供給される。
【発明の効果】
【００１２】  上述したように本発明のパーマネントメイクマシンは、手で持って施術する際、マシンの針先を色素液に浸漬し、マシンを稼動させ皮膚に対して垂直にし、目的の眉部に針先が軽く触れる位に近づけ、皮膚との間隔を保ちながらマシンを移動させ任意の眉を作るが、皮膚との間隔が多少近づいても、細い針がしなり圧迫度を調整してくれるので皮膚の浅い所に安定した施術が一回の浸漬で従来のものより長時間使用出来る。【００１３】  又垂直往復運動の針では、拡大して見た場合、色素は皮膚に対して垂直な線として、皮膚表面からは点として見えるが本発明のマシンでは引掻痕に色素が拡散され定着するために、皮膚表面からは線として見える、つまり一回の針の動作で広範囲に色素が入り、おのずと短時間の施術が実現する。【００１４】  そして痛みに関しても、従来の針より細いことと、皮膚に深く入らないということで、ごく僅かな痛みのため、局部麻酔など一切使う事無く使用することが出来るものである。【００１５】  針に関しては、０，２ｍｍ前後の複数の針を、間隔を開けずに一列にしたものを使用すれば針は円錐形のため個々の針先は僅かな間隔が開き、表面張力により色素液を吸引するためスポンジを使用しなくても使用することが出来るものである。【００１６】  また、針を一本で使用する場合は、０，２ｍｍ前後の針を、細径の加工した含浸性に優れたスポンジに挿入し接着剤で固定した針を使用することで、細かい部分の施術を容易に、また一度色素液に浸漬すれば従来のものより長い時間施術することが出来る。
【発明を実施するための最良の形態】
【００１７】  図１の平面図Ａに示されるように、モーター１の回転出力軸２にウォームギヤ３を取り付ける、このウォームギヤ３にモーターの中心軸と同一線上にその中心点を有するように配置されている平歯車４が噛合される、平歯車４に結合された軸５より回転運動を往復運動に変換する６，９，１０、６′９′１０′に結合される、往復運動は軸１２、１２′に回転自在に支持された１１、１１′により往復棒１３、１３′が往復運動し軸１４、１４′に回転自在に支持された１６、１７により針部１９が請求項１の動きをする。図１のＢは、モーター１と回転出力軸２ウォームギヤ３平歯車４の側面図である。【００１８】  図２Ａに示した側面図は回転運動を往復運動に変換する仕組みである、軸５の回転運動が中心より僅かにずらした受け穴をもつ６、６′の７、７′に結合し６、６′にベアリング９、９′が結合し９、９′に１０、１０′が結合している往復棒１３、１３′の軸１２、１２′に回転自在に支持された１０、１０′の受け穴１１、１１′により往復棒が往復運動をする。【００１９】  図２のＢに示した６、６′の受け穴７、７′と軸５の結合位置は、図１のＢの平歯車４の矢印に示した回転方向を前提として軸５に対して６はタイミングポイント８が真上になる様に７に結合する、軸５に対して６′はタイミングポイント８′が往復棒１３′の方向にずらして結合する、往復棒１３と往復棒１３′は、往復運動の範囲は同一であるが、往復棒１３の往復運動が往復棒１３′の往復運動より若干タイミングが速くなる。【００２０】  図３の往復運動を若干の回転運動に変換する部品及び針部受け１５には軸１４の受け穴１６と軸１４′の受け穴１７が有る、往復棒１３と１３′は平行に往復運動するがタイミングが若干違うため一往復に二回、往復運動の最上下位置のとき軸１４と軸１４′が接近する、そのために受け穴１７は円形ではなく横に長い受け穴とし、横方向に遊びを作りスムーズな動きを作っている。【００２１】  図３の針受け部１５に針部１９を接続し止ネジ１８を閉めて針部１９を固定する、針部１９は使い捨てのため衛生的である。【００２２】  図４は、往復棒の一往復を、イ、ロ、ハ、ニ、ホ、ヘ、トに区切り、往復棒１３，１３′に連動した針の動きを示したもので、始めの往復棒と針をイ、イ′として、イロハ順に動く様子を図に示したものである。【００２３】  図４のイ、よりハ、は斜めに配置した針がそのままの角度を保ちながら皮膚に接近し皮膚を僅かに圧迫する所までを示している、ニ、では往復棒１３が往復棒１３′よりタイミングが早いため跳ね上がるように回転運動をし、ホ、ヘ、では、そのままの角度で皮膚より離れてゆく事を示すものである、そしてト、で元のイ、に戻る。【００２４】  図５は、太さが０，２ｍｍ前後の針が本マシンの動きにより皮膚に引掻痕をＡ、Ｂ、Ｃの順で形成する動きを説明した拡大図である。【００２５】  図６の本発明のパーマネントメイクマシン用針は、含浸性に優れた細径に加工されたスポンジ２２に太さが０，２ｍｍ前後の針２３を挿入し僅かに針先を出し接着剤２４で固定した拡大断面図である。【００２６】  図７の本発明のパーマネントメイクマシン用針は、間隔を僅かに開けた複数の０，２ｍｍ前後の針���５を、含浸性に優れたスポンジ２６に挿入し針先を僅かに出し接着剤２４で固定した拡大断面図である。【００２７】  図８の本発明のパーマネントメイクマシン用針は、０，２ｍｍ前後の複数の針を、間隔を開けずに直線又は曲線に一列に並べ、斜めに配置したとき皮膚面に平行になるように各針を配置した構造を持つもので、直線一列に並べた針の拡大断面図である。【００２８】  図９は、前記針が本マシンの動きにより皮膚に引掻痕をＡ、Ｂ、Ｃの順で形成する動きを説明した拡大断面図である。
【図面の簡単な説明】
【００２９】
【図１】図１のＡは、本発明に係るパーマネントメイクマシンの駆動力伝達の平面図である。図１のＢは、モーター１と回転出力軸２、ウォームギヤ３、平歯車４の側面図である。
【図２】図２のＡは、回転運動を往復運動に変換する仕組みを示した側面図である。図２のＢは、往復運動を作るための中心より若干ずらした受け穴を持つ円柱版の側面図である。
【図３】図３のＡは、往復棒１３、１３′の側面図である。図３のＢは、往復運動を若干の回転運動に変換する部品及び針部受けの側面図である。図３のＣは、針部の側面図である。
【図４】往復棒１３、１３′と連動した針の動きを図で説明したものである。
【図５】一本の針が皮膚に差し込まれ引掻痕を形成する様子をＡＢＣの順で示した断面図である。
【図６】本発明に係るパーマネントメイクマシン用針の断面図である。
【図７】本発明に係るパーマネントメイクマシン用複数一列針の断面図である。
【図８】本発明に係るパーマネントメイクマシン用複数一列針の断面図である。
【図９】前記針が皮膚に差し込まれ引掻痕を形成する様子をＡＢＣの順で示した断面図である。
【符号の説明】
【００３０】１              モーター
２              回転出力軸
３              ウォームギヤ
４              平歯車
５              平歯車４に結合した軸
６，６′        中心より若干ずれた受け穴を持つ円柱版
７、７′        ６、６′の受け穴部
８、８′        ６、６′のタイミングポイント
９、９′        ６、６′に結合するベアリング
１０、１０′    ９、９′に結合する１２、１２′の受け穴部
１１、１１′    １０、１０′の受け穴部
１２、１２′    １３、１３′に付随する軸
１３、１３′    往復棒
１４、１４′    １３、１３′に付随する軸
１５            往復運動を若干の回転運動に変換する部品及び針部受け
１６            軸１４の受け穴部
１７            軸１４′の受け穴部
１８            針部１９の止ネジ
１９            針部
２０            皮膚表面
２１            針に付着した色素が拡散、沈着する引掻痕
２２            細径に加工された含浸性に優れたスポンジ
２３            太さが０，２ｍｍ前後の針
２４            接着剤
２５            太さが０，２ｍｍ前後の複数の細径針
２６            ２５に合わせ加工された含浸性に優れたスポンジ
【図１】
2008194412.tif 000003
【図２】
2008194412.tif 000004
【図３】
2008194412.tif 000005
【図４】
2008194412.tif 000006
【図５】
2008194412.tif 000007
【図６】
2008194412.tif 000008
【図７】
2008194412.tif 000009
【図８】
2008194412.tif 000010
【図９】
2008194412.tif 000011